(57)【要約】      （修正有）【課題】  容易にディスクトレイを取り外すことが可能なディスクトレイの外れ防止機構を備えたディスク装置を提供する。【解決手段】  ディスクトレイ３を収納する本体フレーム２を設け、ディスクトレイ３の後方に第１，第２のストッパー５，６、本体フレーム２の前方側に第１のリブ１２を形成する。トラバースユニット１０の昇降動作を行うラックローディング１１の上部に第２のリブ１３を設ける。ディスクトレイ３がディスクＤの交換位置に搬出されている時、第１のリブ１２と第１のストッパー５の第１の係合部１４、第２のリブ１３と第２のストッパー６の第２の係合部１５との係合を、内側に互いに撓ませ解除する操作部１６，１６を第１，第２のストッパー５，６に設ける。操作部１６，１６を内側に互いに撓ませ、第１の係合部１４と第１のリブ１２、第２の係合部１５と第２のリブ１３との係合を簡単に解除できる。【選択図】図１
2006134380.tif 000002
【特許請求の範囲】
【請求項１】
載置されたディスクを内外に搬送するディスクトレイと、このディスクトレイを収納する本体フレームと、前記本体フレームに配置する摺動可能なラックローディングと、このラックローディングの摺動動作に連動して昇降動作されるトラバースユニットとを備えたディスク装置において、前記ディスクトレイの後方一端側には第１のストッパーを形成すると共に、前記本体フレームの前方側には前記第１のストッパーと係合する第１のリブを形成し、前記第１のストッパーと反対側に位置する前記ディスクトレイの後方端部には前記第２のストッパーを形成すると共に、前記トラバースユニットの下降時において前記第２のストッパーと係合する第２のリブを前記ラックローディングの上部に形成したことを特徴とするディスクトレイの外れ防止機構を備えたディスク装置。
【請求項２】
載置されたディスクを内外に搬送するディスクトレイと、このディスクトレイを収納する本体フレームと、この本体フレームに配置する摺動可能なラックローディングと、このラックローディングの摺動動作に連動して昇降動作されるトラバースユニットとを備えたディスク装置において、前記ディスクトレイの後方両端側にはストッパーを形成すると共に、前記本体フレームの前方側には前記ストッパーと係合するリブを前記本体フレームの両側壁上端より内側に延出して形成したことを特徴とするディスクトレイの外れ防止機構を備えたディスク装置。
【請求項３】
前記リブに、前記ディスクトレイの搬送時に案内するガイド用リブを一体に形成したことを特徴とする請求項２に記載のディスクトレイの外れ防止機構を備えたディスク装置。
【請求項４】
前記ストッパーの一端を前記ディスクトレイと一体に連結し、前記ストッパーの他端には前記本体フレーム及び／又は前記ラックローディングに形成した前記リブと係合する係合部を一体に形成したことを特徴とする請求項２又は３に記載のディスクトレイの外れ防止機構を備えたディスク装置。
【請求項５】
前記ストッパーの上部には、前記ディスクトレイの内側に撓ませて前記リブと前記ストッパーとの係合状態を解除する操作部を一体に形成したことを特徴とする請求項２〜４の何れか１項に記載のディスクトレイの外れ防止機構を備えたディスク装置。
【請求項６】
前記第１，第２のストッパーの上部には、前記ディスクトレイの内側に撓ませて前記第１のリブと第１のストッパー及び前記第２のリブと第２のストッパーとの係合状態を解除する操作部を一体に形成したことを特徴とする請求項１記載のディスクトレイの外れ防止機構を備えたディスク装置。
【発明の詳細な説明】
【技術分野】
【０００１】
本発明は、記録媒体たるディスクを記録又は再生するディスク装置に関し、より詳しくは、ディスクを載置するディスクトレイを引っ張るなどして外部から圧力を加えても簡単に外れることのないディスクトレイの外れ防止機構を備えたディスク装置に関する。
【背景技術】
【０００２】
従来から、ＣＤ−Ｒなどのディスクの記録又は再生を行うディスク装置においては、機器本体の内外に搬送されるトレイにディスクを載置させ、機器本体内にディスクを搬入する構造のディスク装置が提案されている。こういった従来技術として、ディスクを載置するトレイに予測外の力が加えられた際、機器本体などの本体フレームからトレイが離脱しないように構成したディスク駆動装置が特許文献１には開示されている。
【０００３】
【特許文献１】特開２００３−２８１８６８号公報
【発明の開示】
【発明が解決しようとする課題】
【０００４】
しかし、上記特許文献１においては、トレイが機器本体としての本体フレームの外に搬出された状態において、例えば、ユーザーが本体フレームからディスクを引張っるなどしてトレイに不用意な外力が加えられた際、本体フレームからトレイが離脱されるといった問題を解消することはできるものの、その一方で、例えばメインテナンスなどの為に、本体フレームからトレイを取り外す必要が生じた際には、簡単にトレイが離脱されないように構成されていることで、メインテナンス性に劣るといった課題を有していた。
【０００５】
本発明は、上記課題を鑑みてなされたもので、ユーザーなどにより、ディスクトレイに不用意な外力が加えられたとしてもディスクトレイが簡単に外れることを防止できる一方で、メインテナンス等によってディスクトレイを外す必要が生じた際には、本体から容易にディスクトレイを取り外すことが可能なディスクトレイの外れ防止機構を備えたディスク装置を提供することを目的とする。
【課題を解決するための手段】
【０００６】
本発明の請求項１のディスクトレイの外れ防止機構を備えたディスク装置は、載置されたディスクを内外に搬送するディスクトレイと、このディスクトレイを収納する本体フレームと、前記本体フレームに配置する摺動可能なラックローディングと、このラックローディングの摺動動作に連動して昇降動作されるトラバースユニットとを備えたディスク装置において、前記ディスクトレイの後方一端側には第１のストッパーを形成すると共に、前記本体フレームの前方側には前記第１のストッパーと係合する第１のリブを形成し、前記第１のストッパーと反対側に位置する前記ディスクトレイの後方端部には前記第２のストッパーを形成すると共に、前記トラバースユニットの下降時において前記第２のストッパーと係合する第２のリブを前記ラックローディングの上部に形成したことを特徴とする。
【０００７】
本発明の請求項２のディスクトレイの外れ防止機構を備えたディスク装置は、載置されたディスクを内外に搬送するディスクトレイと、このディスクトレイを収納する本体フレームと、この本体フレームに配置する摺動可能なラックローディングと、このラックローディングの摺動動作に連動して昇降動作されるトラバースユニットとを備えたディスク装置において、前記ディスクトレイの後方両端側にはストッパーを形成すると共に、前記本体フレームの前方側には前記ストッパーと係合するリブを前記本体フレームの両側壁上端より内側に延出して形成したことを特徴とする。
【０００８】
本発明の請求項３のディスクトレイの外れ防止機構を備えたディスク装置は、請求項２記載のディスクトレイの外れ防止機構を備えたディスク装置において、前記リブに、前記ディスクトレイの搬送時に案内するガイド用リブを一体に形成したことを特徴とする。
【０００９】
本発明の請求項４のディスクトレイの外れ防止機構を備えたディスク装置は、請求項２又は３記載のディスクトレイの外れ防止機構を備えたディスク装置において、前記ストッパーの一端を前記ディスクトレイと一体に連結し、前記ストッパーの他端には前記本体フレーム及び／又は前記ラックローディングに形成した前記リブと係合する係合部を一体に形成したことを特徴とする。
【００１０】
本発明の請求項５のディスクトレイの外れ防止機構を備えたディスク装置は、請求項２〜４の何れか１項に記載のディスクトレイの外れ防止機構を備えたディスク装置において、前記ストッパーの上部には、前記ディスクトレイの内側に撓ませて前記リブと前記ストッパーとの係合状態を解除する操作部を一体に形成したことを特徴とする。
【００１１】
本発明の請求項６のディスクトレイの外れ防止機構を備えたディスク装置は、請求項１記載のディスクトレイの外れ防止機構を備えたディスク装置において、前記第１，第２のストッパーの上部には、前記ディスクトレイの内側に撓ませて前記第１のリブと第１のストッパー及び前記第２のリブと第２のストッパーとの係合状態を解除する操作部を一体に形成したことを特徴とする。
【発明の効果】
【００１２】
本発明によれば、ディスクトレイがディスク交換位置にある時に不用意な外力がディスクトレイに加えられても、第１の係合部と第１のリブ、及び第２の係合部と第２のリブとが係合されているので、ディスク装置の本体フレームからディスクトレイが外れることを防止できる。また、操作部を本体フレームの内側に互いに撓ませることにより、第１の係合部と第１のリブ、及び第２の係合部と第２のリブとの係合を解除できるので、例えば、メインテナンス等により本体フレームからディスクトレイを外す必要が生じた際、片方の手の親指とひとさし指によって操作部を挟み込むようにして内側に撓ませることで、一方の手を開放させた状態であっても、本体フレームからディスクトレイを簡単に離脱させ取り外すことができる。
【００１３】
また、ディスクトレイがディスクの交換位置にある時に、不用意な外力がディスクトレイに加えられても、係合部とリブとが係合されているので、ディスク装置の本体フレームからディスクトレイが外れることを防止でき、リブとガイド用リブとを併設或いは一体形成することで、本体フレームの高さ方向にキャビティ型及びコア型を設けて本体フレームの成形を行う金型の形状簡略化が可能となる。また、併設或いは一体形成してリブ及びガイド用リブを設けることで、ディスクの交換位置にディスクトレイが搬出される時の不用意な傾きや振れを抑えることが可能となる。さらに、ストッパーの係合部と係合される係合リブを本体フレームの上端に形成することで、ディスク装置の薄型化に関係なくディスクトレイの外れ防止機構を設けることができる。従って、本体フレームの全体の高さを低くした場合に、ストッパーをディスクトレイの上面に形成し、ストッパーの係合部の高さに応じて相対するリブを本体フレームの上端に形成することができる。また、ストッパーの係合部と係合されるリブを本体フレームの上端に形成することで、本体フレーム内部に適宜必要に応じて種々の部品が設置可能なスペースを確保することができる。
【発明を実施するための最良の形態】
【００１４】
以下、図１〜図１８を参照しながら、本発明を実施するための最良の形態としての実施例を説明する。
【実施例１】
【００１５】
図１は本発明の一実施例の電子機器に内蔵されるディスク装置の平面図、図２はその正面図、図３はディスク装置からディスクトレイを取り外した状態を示す本体フレームの平面図、図４はその正面図、図５はラックローディングの平面図、図６はラックローディングの正面図、図７はストッパー近傍を示す拡大斜視図、図８はストッパーの一部を切り欠いた拡大斜視図である。これらの図に示すように、ディスク装置１は、本体フレーム２にＣＤ−Ｒなどの記録媒体たるディスクＤの載置されるディスクトレイ３を備え、本体フレーム２に設けられた図示しない駆動モータなどを構成する駆動機構によって、本体フレーム２の前後にディスクトレイ３が進退されるようになっている。そして、ディスクトレイ３が本体フレーム２の前側に前進された状態、すなわちディスクトレイ３が本体フレーム２から搬出され静止された状態においては、ディスクトレイ３の所定の位置にディスクＤを載置できるように構成されている。
【００１６】
ディスクトレイ３は、その上方から見た全体形状がほぼ矩形に形成されており、このディスクトレイ３には、その後方一端側（図１に示す左側）に第１のストッパー５を形成し、この第１のストッパー５の反対側（図１に示す右側）に位置するディスクトレイ３の後方端部には、ディスクトレイ３と一体に第２のストッパー６が形成されている。
【００１７】
また、１０はディスク装置１の内部に搬入されたディスクＤを回転する為のターンテーブルと、回転しているディスクＤから情報の読み込み、或いはディスクＤへの情報の書き込みを行うピックアップユニットなどを主要構成部品として備える本体フレーム２に取り付けられたトラバースユニットであり、このトラバースユニット１０の前方には、図５及び図６に示すラックローディング１１が配置されている。なお、ラックローディング１１には図示しないカム溝が形成されており、このカム溝に嵌合する図示しない突部がトラバースユニット１０の先端に備えられていて、ラックローディング１１の摺動動作に伴いトラバースユニット１０が昇降動作を行う構造となっている。
【００１８】
また、本体フレーム２の前方側には第１のリブ１２、ラックローディング１１の上部には第２のリブ１３がそれぞれに一体に形成されている。
【００１９】
また、第１のストッパー５の先端には外側に屈曲された第１の係合部１４を形成すると共に、第２のストッパー６の先端にも外側に屈曲された第２の係合部１５が形成され、ディスクトレイ３がディスクＤを載置可能とするディスクの交換位置に搬出されている時に、第１のリブ１２と第１の係合部１４、第２のリブ１３と第２の係合部１５が係合されるようになっており、第１のストッパー５と第２のストッパー６の上部には、それぞれに一体に上部に突出された操作部１６，１６が設けられていて、これら操作部１６，１６をディスク装置１の内側に撓ませることにより、第１のリブ１２に係合されている第１の係合部１４と、第２のリブ１３に係合さている第２の係合部１５とが、操作部１６，１６の撓みにしたがい内側に可動され、第１の係合部１４と第１のリブ１２、及び第２の係合部１５と第２のリブ１３との係合が解除される。これにより、例えば、メインテナンス等により本体フレーム２からディスクトレイ３を取り外す必要が生じた際、片方の手の親指とひとさし指によって操作部１６，１６を挟み込むようにして内側に撓ませることで、一方の手を開放させた状態であっても、本体フレーム２からディスクトレイ３を簡単に離脱させ取り外すことができ、また、図１に示すように、ディスクトレイ３がディスクＤの交換位置にある時には、不用意な外力がディスクトレイ３に加えられても、第１の係合部１４と第１のリブ１２、第２の係合部１５と第２のリブ１３とが係合されているので、これら２箇所の係合によって、ディスク装置１の本体フレーム２からディスクトレイ３が簡単に外れることを防止することができる。
【００２０】
以上のように本実施例によれば、ディスク装置１は、載置されたディスクＤを内外に搬送するディスクトレイ３と、このディスクトレイ３を収納する本体フレーム２と、ディスクトレイ３の後方一端側に形成された第１のストッパー５と、本体フレーム２の前方側に形成された第１のリブ１２と、第１のストッパー５と反対側に位置するディスクトレイ３の後方端部に形成された第２のストッパー６と、本体フレーム２に設けられたトラバースユニット１０の昇降動作を行うラックローディング１１の上部に形成された第２のリブ１３とを設け、第１のストッパー５の先端に外側に屈曲した第１の係合部１４を形成すると共に第２のストッパー６の先端にも外側に屈曲した第２の係合部１５を形成し、ディスクトレイ３が本体フレーム２から前進して搬出され、第１の係合部１４が第１のリブ１２に係合されると共に、第２の係合部１５が第２のリブ１３に係合され、ディスクトレイ３がディスクＤの交換位置に搬出されている時に、第１のリブ１２と第１の係合部１４、及び第２のリブ１３と第２の係合部１５との係合を、ディスク装置１の内側に互いに撓ませて解除する操作部１６，１６を第１，第２のストッパー５，６の上部に一体に設けたものである。これにより、ディスクトレイ３がディスクＤの交換位置にある時に不用意な外力がディスクトレイ３に加えられても、第１の係合部１４と第１のリブ１２、及び第２の係合部１５と第２のリブ１３とが係合されているので、ディスク装置１の本体フレーム２からディスクトレイ３が外れることを防止でき、さらに、操作部１６，１６を本体フレーム２の内側に互いに撓ませることにより、第１の係合部１４と第１のリブ１２、及び第２の係合部１５と第２のリブ１３との係合を解除できるので、例えば、メインテナンス等により本体フレーム２からディスクトレイ３を取り外す必要が生じた際、片方の手の親指とひとさし指によって操作部１６，１６を挟み込むようにして内側に撓ませることで、一方の手を開放させた状態であっても、本体フレーム２からディスクトレイ３を簡単に離脱させ取り外すことができる。
【００２１】
また、図２に示すように、第２のストッパー６の第２の係合部１５と係合される第２のリブ１３をラックローディング１１の上部に形成することで、従来から用いられているディスク装置のフレームに形成するはずのリブを１箇所削除できる為に、本体フレーム２の形状を簡略化することが可能となり、このように削除可能になった第２のリブ１３の周辺に、適宜必要に応じて種々の部品を設置可能なスペースを確保することができる。
【実施例２】
【００２２】
次に、本発明の実施例２を説明する。図９は本発明の実施例２に示すディスク装置の平面図、図１０はその正面図、図１１はストッパー近傍を示す拡大斜視図、図１２は係合リブ近傍を示す拡大斜視図、図１３はディスクトレイのガイド用リブを示す拡大斜視図である。図１４はストッパー近傍を示すディスクトレイの拡大斜視図である。上記した実施例１と同一部分には同一符号を示し、その詳細な説明は省略して詳述する。
【００２３】
実施例２では、図９に示すように、ディスクトレイ３には、このディスクトレイ３の後方両端側にストッパー２５，２５が一体に形成され、ストッパー２５，２５の先端には、図１１に示すように、それぞれ係合部４０，４０が形成されている。そして、これらストッパー２５，２５の上部には操作部１６，１６が一体に形成されている。
【００２４】
また、本体フレーム２には、その前方両側の上端より内側に延設された係合リブ３２，３２が形成され、ディスクトレイ３がディスクＤの交換位置にある時に不用意な外力がディスクトレイ３に加えられても、係合部４０，４０と係合リブ３２，３２とが係合されているので、ディスク装置１の本体フレーム２からディスクトレイ３が外れることを防止できる。加えて係合リブ３２，３２の下側には、図１３に示すように、本体フレーム２に対してディスクトレイ３の搬送時に案内するガイド用リブ４１，４１を併設或いは一体形成する。これにより、係合リブ３２，３２とガイド用リブ４１，４１とを併設或いは一体形成することで、本体フレーム２の高さ方向にキャビティ型及びコア型を設けて本体フレーム２の成形を行う金型の形状簡略化が可能となる。また、併設或いは一体形成して係合リブ３２，３２及びガイド用リブ４１，４１を設けることで、ディスクＤの交換位置にディスクトレイ３が搬出される時の不用意な傾きや振れを抑えることが可能となる。さらに、ストッパー２５，２５の係合部４０，４０と係合される係合リブ３２，３２を本体フレーム２の上端に形成することで、ディスク装置の薄型化に関係なくディスクトレイ３の外れ防止機構を設けることができる。即ち、本体フレーム２の全体の高さを低くした場合に、ストッパー２５，２５をディスクトレイ３の上面に形成し、ストッパー２５，２５の係合部４０，４０の高さに応じて相対する係合リブ３２，３２を本体フレーム２の上端に形成することができる。また、ストッパー２５，２５の係合部４０，４０と係合される係合リブ３２，３２を本体フレーム２の上端に形成することで、本体フレーム２内部に適宜必要に応じて種々の部品が設置可能なスペースを確保することができる。
【実施例３】
【００２５】
次に、本発明の実施例３を説明する。図１５は本発明の実施例３に示すディスク装置の平面図、図１６はその正面図、図１７はストッパー及びリブを示す拡大斜視図、図１８はリブに係合される係合部を破線で示した拡大斜視図である。上記した実施例１及び２と同一部分には同一符号を示し、その詳細な説明は省略して詳述する。
【００２６】
この実施例３では、ディスクトレイ３には、その上面にストッパー２５，２５を形成する。また、操作部１６，１６は、ディスクトレイ３の後方両端側から前方に向かって延設されたストッパー２５，２５の先端側に形成されている。そして、本体フレーム２に形成された係合リブ３２，３２にストッパー２５，２５の係合部４０，４０が係合し、且つディスクトレイ３の搬送時にガイドを兼ねるガイド用リブ４１，４１を本体フレーム２の前方両側より内側に延設させ形成する。これにより、実施例２と同様に、本体フレーム２には、その前方両側の上端より内側に延設された係合リブ３２，３２が形成され、ディスクトレイ３がディスクＤの交換位置にある時に不用意な外力がディスクトレイ３に加えられても、係合部４０，４０と係合リブ３２，３２とが係合されているので、ディスク装置１の本体フレーム２からディスクトレイ３が外れることを防止できる。加えて係合リブ３２，３２の下側には、本体フレーム２に対してディスクトレイ３の搬送時に案内するガイド用リブ４１，４１を併設或いは一体形成する。これにより、係合リブ３２，３２とガイド用リブ４１，４１とを併設或いは一体形成することで、本体フレーム２の高さ方向にキャビティ型及びコア型を設けて本体フレーム２の成形を行う金型の形状簡略化が可能となる。また、併設或いは一体形成して係合リブ３２，３２及びガイド用リブ４１，４１を設けることで、ディスクＤの交換位置にディスクトレイ３が搬出される時の不用意な傾きや振れを抑えることが可能となる。さらに、ストッパー２５，２５の係合部４０，４０と係合される係合リブ３２，３２を本体フレーム２の上端に形成することで、ディスク装置の薄型化に関係なくディスクトレイ３の外れ防止機構を設けることができる。即ち、本体フレーム２の全体の高さを低くした場合に、ストッパー２５，２５をディスクトレイ３の上面に形成し、ストッパー２５，２５の係合部４０，４０の高さに応じて相対する係合リブ３２，３２を本体フレーム２の上端に形成することができる。また、ストッパー２５，２５の係合部４０，４０と係合される係合リブ３２，３２を本体フレーム２の上端に形成することで、本体フレーム２内部に適宜必要に応じて種々の部品が設置可能なスペースを確保することができる。
【図面の簡単な説明】
【００２７】
【図１】本発明の実施例１の電子機器に内蔵されるディスク装置の平面図である。
【図２】同上、ディスク装置の正面図である。
【図３】同上、ディスク装置からディスクトレイを取り外した状態を示す本体フレームの平面図である。
【図４】同上、ディスク装置からディスクトレイを取り外した状態を示す本体フレームの正面図である。
【図５】同上、ラックローディングの平面図である。
【図６】同上、ラックローディングの正面図である。
【図７】同上、ストッパー近傍を示す拡大斜視図である。
【図８】同上、ストッパーの一部を切り欠いた拡大斜視図である。
【図９】実施例２のディスク装置の平面図である。
【図１０】同上、ディスク装置の正面図である。
【図１１】同上、ストッパー近傍を示す拡大斜視図である。
【図１２】同上、係合リブ近傍を示す拡大斜視図である。
【図１３】同上、ガイド用リブを示す拡大斜視図である。
【図１４】同上、ストッパー近傍を示すディスクトレイの拡大斜視図である。
【図１５】実施例３のディスク装置の平面図である。
【図１６】同上、ディスク装置の正面図である。
【図１７】同上、ストッパー及びリブを示す拡大斜視図である。
【図１８】同上、リブに係合される係合部を破線で示した拡大斜視図である。
【符号の説明】
【００２８】
１  ディスク装置
２  本体フレーム
３  ディスクトレイ
５  第１のストッパー
６  第２のストッパー
１０  トラバースユニット
１１  ラックローディング
１２  第１のリブ
１３  第２のリブ
１４  第１の係合部
１５  第２の係合部
１６  操作部
２５  ストッパー
３２  係合リブ（リブ）
４１  ガイド用リブ
【図１】
2006134380.tif 000003
【図２】
2006134380.tif 000004
【図３】
2006134380.tif 000005
【図４】
2006134380.tif 000006
【図５】
2006134380.tif 000007
【図６】
2006134380.tif 000008
【図７】
2006134380.tif 000009
【図８】
2006134380.tif 000010
【図９】
2006134380.tif 000011
【図１０】
2006134380.tif 000012
【図１１】
2006134380.tif 000013
【図１２】
2006134380.tif 000014
【図１３】
2006134380.tif 000015
【図１４】
2006134380.tif 000016
【図１５】
2006134380.tif 000017
【図１６】
2006134380.tif 000018
【図１７】
2006134380.tif 000019
【図１８】
2006134380.tif 000020